(57)【特許請求の範囲】
【請求項１】
ケーシングを備え、前記ケーシングの前面側にて電話機等の端末装置や公衆回線等のケーブルを接続する構内交換機で、且つ、前記ケーブルが前面側から構内交換機の内部を通って前面側と対向する背面側へ取り回される構内交換機であって、
前記構内交換機の前面側から背面側へ前記構内交換機の内部を貫通し、且つ、前記構内交換機の前面側から背面側に連通して側面部と接面する空間と
前記空間と接面する前記側面部において前面側と背面側を連通する間隙とを備え、
前記間隙の両端を結ぶ前記構内交換機の側面部に形成される間隙線は、前記構内交換機の側面部の底辺より上方に形成され、前記前面側にて接続されたケーブルが構内交換機の外部において前記背面側に取り回された状態から、前記ケーブルを前記構内交換機の外部から前記間隙に通過させて前記空間に通し、前記構内交換機の前面側から前記空間を通って背面側へ前記ケーブルを取り回すことが可能であることを特徴とする構内交換機。
【請求項２】
前記ケーシングを支持する台座を備え、
前記ケーシングは前記台座の略中央部に立設された支持柱部によって支持され、
前記台座は両側部に板状の台座側面部を立設し、
ケーブルを取り回す前記空間は、前記ケーシングの底面と前記台座の上面と前記台座側面部によって囲まれた空間であって、
前記間隙は、前記台座側面部の上辺が前記ケーシング側面の下辺と接することなく前記ケーブルが通過できる間隙を形成していることを特徴とする請求項１に記載の構内交換機。
【請求項３】
ケーシングを備え、前記ケーシングの前面側にて電話機等の端末装置や公衆回線等のケーブルを接続する構内交換機で、且つ、前記ケーブルが前面側から構内交換機の内部を通って、前面側と対向する背面側へ取り回される構内交換機であって、
前記ケーシングを支持する台座を備え、
前記ケーシングは前記台座の略中央部に立設された支持柱部によって支持され、
前記台座は両側部に板状の台座側面部を立設し、
前記ケーシングの底面と前記台座の上面と前記台座側面部によって囲まれた空間を形成し、
前記台座側面部の上辺は前記ケーシング側面の下辺と接することなく前記ケーブルが通過できる間隙を形成していることを特徴とする構内交換機。
【請求項４】
前記支持柱部の側面の少なくとも前面側部側が曲面状に形成されていることを特徴とする請求項２又は３のいずれかに記載の構内交換機。
【請求項５】
構内交換機の前面を覆うフロントカバーを備えることを特徴とする請求項１乃至４の内いずれか１項に記載の構内交換機。
【請求項６】
前記ケーシングの側面の下端部に、凹形状に形成された把持部が形成されたことを特徴とする請求項２乃至５の内いずれか１項に記載の構内交換機。
【請求項７】
前記台座側面部の奥行き長は台座側面の奥行き長より短く、前記台座側面部は台座側面の前方端部から立設していることを特徴とする請求項２乃至４の内いずれか１項に記載の構内交換機。
【発明の詳細な説明】
【０００１】
【発明の属する技術分野】
本発明は、複数の端末装置を内線通話又は外線通話可能とするための構内交換機に関し、特に、端末装置に接続するケーブルの配線を容易に行うことができる構内交換機に関する。
【０００２】
【従来の技術】
近年、特定の事業所内やビル等の建物内等に設置された複数台の電話機をケーブルにより接続し、相互に通話する内線通話や公衆回線等に接続して外線通話を行うための構内交換機が用いられている。構内交換機は、ケーブルを介して接続された複数の電話機等の端末装置の中から希望する端末装置を相互に接続して通信を行う内線通話や、希望する端末装置と公衆回線とを接続して通話を行う外線通話等を行う装置である。このような構内交換機としては、接続コネクタを備えた複数の端末カードを、接続コネクタがケーシングの前面側に配置されるようにケーシング内部に形成された複数の棚に挿設し、ケーシングの内部の背面側に配設されたバックボードに着脱可能に装着し交換や増設を可能としたフリースロット方式の構内交換機が広く用いられている。このようなフリースロット方式の構内交換機は、接続される端末装置の数が増加した場合であっても、端末カードを増設することができるため、別の構内交換機を導入することなく、対応することができるという利点を有している。また、フリースロット方式の外装であるケーシングは、そのほとんどが略直方体形状に形成され、電話機等の各端末装置に接続するための接続用コネクタ等の端子を各端末カードのケーシングの前面側に配置し、ケーシングの前面にフロントカバーを着脱自在又は開閉自在に配設し、フロントカバーを接続コネクタが配設された前面部に覆設して利便性及び外観を向上させた構造となっている。そして更に、構内交換機を設置する際は、接続用コネクタに接続されたケーブルを、ケーシング内部に設けられた機器類の隙間等の空間を通過させて後方又は側方に出し、前面側にはフロントカバーを装着して、安全性及び外観を向上させて配線を行うのが一般的である。
【０００３】
以下に、従来の構内交換機について図を用いて説明する。
【０００４】
図５は、従来の一般的な構内交換機の要部斜視図である。
【０００５】
図５において、２１は従来の一般的な構内交換機、２２は構内交換機２１のケーシングの上面を構成するトップカバー、２３は構内交換機２１のケーシングの前面を構成するフロントカバー、２４は構内交換機２１のケーシングの側面を構成するサイドカバーである。
【０００６】
なお、フロントカバー２３は構内交換機２１に対して螺子やビス等により装着され取り外し可能に配設されるか、又は開閉自在な扉等となるように形成されている。
【０００７】
図６は従来の構内交換機のフロントカバーを取り外した状態を示す要部正面図である。
【０００８】
図６において、２１は構内交換機、２２はトップカバー、２４はサイドカバーであり、これらは図５において説明したものと同様であるので同一の符号を付けて説明を省略する。２６はケーシングの内部に少なくとも構内交換機２１の前面側に開口した複数の棚を設けて形成された棚部、２７はそれぞれの棚部２６に挿設される端末カード、２８はそれぞれの端末カード２７の前面側に配設された接続用コネクタ、２９は接続用コネクタ２８に接続されたケーブル、３０はケーシングの内部に配設された機器と機器との隙間等の空間であるケーブル挿通部である。
【０００９】
なお、端末カード２７としては、構内交換機２１のケーシングの前面側に接続用コネクタが配設され、構内交換機２１に着脱自在に配設される電話交換の機能を備えた内線ユニットカードや外線ユニットカード等が用いられる。
【００１０】
以上のように構成された従来の構内交換機について、以下にケーブル２９の配線方法を図を用いて説明する。
【００１１】
図６に示すように、ケーブル２９は構内交換機２１のケーシング内部に設けられたケーブル挿通部３０に前面側から背面側に向かって通される。このときケーブル２９を通すために、フロントカバー２３を取り外しケーブル２９を接続用コネクタ２８に接続した後、ケーブル２９をケーブル挿通部３０に通すが、ケーブル挿通部３０は小さいため、フロントカバー２３を取り外すのみでは、ケーブル２９を挿通させることができず、更にサイドカバー２４やバックカバー（図示せず）等を取り外し、側方から作業員が手でケーブル２９をケーブル挿通部３０に通していた。
【００１２】
【発明が解決しようとする課題】
しかしながら、上記従来の技術は以下のような課題を有していた。
【００１３】
（１）従来の構内交換機は、ケーシングの内部を通してケーブルの配線を行うためにはフロントカバーを取り外し、又は開いて、更にケーシングの側面や背面に配設されたサイドカバーやバックカバー等を構内交換機から取り外して、ケーシングの内部に設けられた機器類等の隙間の空間にケーブルを通す作業が必要で、増設のための設置やメンテナンスの際に、ケーブルの配線作業に非常に手間がかかり不便であり、メンテナンス性や配線作業時の作業性に欠けるという課題を有していた。
【００１４】
（２）従来の構内交換機は、ケーブルを通すケーブル挿通部としてケーシングの内部の機器類等の隙間の空間を使用するため、ケーシングの内部に配設された機器類を形成する金属等が暴露されており、ケーブルが金属等に接触して傷ついたり破損したりし易く、配線作業時の安全性やケーブルの耐久性に欠けるという課題を有していた。
【００１５】
本発明は上記従来の課題を解決するもので、構内交換機と端末装置等を接続するケーブルを構内交換機の前面側から側面又は背面側へ容易に配線することができ、ケーシングの前面側のフロントカバーを取り外すだけでケーシング側面側のサイドカバーを取り外す必要がないので、メンテナンス性や配線作業時の作業性に優れ、又配線されるケーブルを配線時に傷つけることを防ぐことができるので、配線作業時の安全性やケーブルの耐久性に優れた構内交換機を提供することを目的とする。
【００１６】
【課題を解決するための手段】
上記課題を解決するために本発明の構内交換機は、ケーシングを備え、ケーシングの前面側にて電話機等の端末装置や公衆回線等のケーブルを接続する構内交換機で、且つ、ケーブルが前面側から構内交換機の内部を通って前面側と対向する背面側へ取り回される構内交換機であって、構内交換機の前面側から背面側へ構内交換機の内部を貫通し、且つ、構内交換機の前面側から背面側に連通して側面部と接面する空間と、空間と接面する側面部において前面側と背面側を連通する間隙とを備え、間隙の両端を結ぶ構内交換機の側面部に形成される間隙線は、構内交換機の側面部の底辺より上方に形成され、前面側にて接続されたケーブルが構内交換機の外部において背面側に取り回された状態から、ケーブルを構内交換機の外部から間隙に通過させて空間に通し、構内交換機の前面側から空間を通って背面側へケーブルを取り回すことが可能であることを特徴としている。
【００１７】
この構成により、構内交換機と端末装置等を接続するケーブルを構内交換機の前面側から側面又は背面側へ容易に配線することができ、ケーシングの前面側のフロントカバーを取り外すだけでケーシング側面側のサイドカバーを取り外す必要がないので、メンテナンス性や配線作業時の作業性に優れ、又配線されるケーブルを配線時に傷つけることを防ぐことができるので、配線作業時の安全性やケーブルの耐久性に優れた構内交換機を提供することすることができる。
【００１８】
【発明の実施の形態】
本発明の請求項１に記載の構内交換機は、ケーシングを備え、ケーシングの前面側にて電話機等の端末装置や公衆回線等のケーブルを接続する構内交換機で、且つ、ケーブルが前面側から構内交換機の内部を通って前面側と対向する背面側へ取り回される構内交換機であって、構内交換機の前面側から背面側へ構内交換機の内部を貫通し、且つ、構内交換機の前面側から背面側に連通して側面部と接面する空間と、空間と接面する側面部において前面側と背面側を連通する間隙とを備え、間隙の両端を結ぶ構内交換機の側面部に形成される間隙線は、構内交換機の側面部の底辺より上方に形成され、前面側にて接続されたケーブルが構内交換機の外部において背面側に取り回された状態から、ケーブルを構内交換機の外部から間隙に通過させて空間に通し、構内交換機の前面側から空間を通って背面側へケーブルを取り回すことが可能である。
【００１９】
この構成により、以下のような作用を有する。
【００２０】
（１）構内交換機の前面側から背面側へ構内交換機の内部を貫通し、且つ、構内交換機の前面側から背面側に連通して側面部と接面する空間と、空間と接面する側面部において前面側と背面側を連通する間隙を備えているため、ケーブルの配線を行う際に、ケーシングの側面側のサイドカバーやケーシングの背面側のバックカバー等を取り外す必要がなく、容易にケーブルの配線をすることができる。
（２）構内交換機の側面からみたケーブル配線の様は、側面部の底辺より上方に設けた狭い間隙を通してのみしか見えないので、ケーブルが外側から見えないようにでき、外観を向上させることができる。
【００２１】
本発明の請求項２、３に記載の発明の構内交換機は、ケーシングを支持する台座を備え、ケーシングは台座の略中央部に立設された支持柱部によって支持され、台座は両側部に板状の台座側面部を立設し、ケーシングの底面と台座の上面と台座側面部によって囲まれた空間を形成し、台座側面部の上辺はケーシング側面の下辺と接することなくケーブルが通過できる間隙を形成している。
【００２２】
この構成により、請求項１の作用に加え、以下のような作用を有する。
【００２３】
（１）ケーシングを支持柱部で支持し、ケーシングの底面と台座の上面と台座側面部によって囲まれた空間を形成し、台座側面部の上辺はケーシング側面の下辺と接することなくケーブルが通過できる間隙を形成しているため、ケーブルの配線を行う際に、ケーシングの側面側のサイドカバーやケーシングの背面側のバックカバー等を取り外す必要がなく、容易にケーブルの配線をすることができる。
（２）台座の側面に立設した板状の台座側面部により、支持柱部の側方に形成された空間に配線されたケーブルが外側へはみ出すことを防ぐことができ、また、多数のケーブルを配線した場合であっても、ケーブルが外側へはみ出すことを防ぐことができる。
（３）台座側面部が、配線されたケーブルを覆うように配設されるため、ケーブルが外側から見えないようにでき、外観を向上させることができる。
【００２５】
本発明の請求項４に記載の発明は、請求項２又は３に記載の構内交換機であって、前記支持柱部の側面の少なくとも前面側部側が曲面状に形成されている構成を有している。
【００２６】
この構成により、請求項２又は３の作用に加え、以下のような作用を有する。
【００２７】
（１）支持柱部の側面のケーブルが当接する少なくとも前面側部側が曲面状に形成されているので、配線されるケーブルが配線時等に支持柱部に接触した場合であっても、ケーブルが傷ついたり断線したり破損したりすることを防ぐことができる。
【００２８】
ここで、ケーブルは構内交換機の前面側から背面側へ向かって配線処理されるため、支持柱部は、少なくともケーブルが当接する前方側面から側方側面にかけて曲面状に形成されることが好ましい。
【００２９】
本発明の請求項５に記載の発明は、請求項１乃至４の内いずれか１項に記載の構内交換機であって、構内交換機の前面を覆うフロントカバーを備えている構成を有している。これによって、フロントカバーが、ケーシングの前面を覆うため、ケーブルが正面から見えないようにでき、外観を向上させることができる。
【００３０】
本発明の請求項６に記載の発明は、請求項２乃至５の内いずれか１項に記載の構内交換機であって、前記ケーシングの側面の下端部に、凹形状に切り欠いて形成された把持形成された構成を有している。この構成により、請求項２乃至５の内いずれか１項の作用に加え、以下のような作用を有する。
【００３１】
（１）ケーシングの側面のサイドカバーの表面等に別途把持部を形成する必要がなく、また、把持部を備えることにより新たに設置する際や、端末カードを増設する際や、メンテナンスの際に把持部を把持して持ち運び等を容易に行うことができる。
【００３２】
（２）別途把持部を形成する必要がないので、外観を向上させることができる。
【００３３】
本発明の請求項７に記載の発明は、請求項２乃至４の内いずれか１項に記載の構内交換機であって、台座側面部の奥行き長は台座側面の奥行き長より短く、台座側面部は台座側面の前方端部から立設している構成を有している。
【００３４】
この構成により、請求項２乃至４の内いずれか１項の作用に加え、以下のような作用を有する。
【００３５】
（１）構内交換機の側面後方にケーブルを外部に取り出し配線処理する空間を有しているため、設置環境に応じて一側面側の空間のみを使用して配線処理を行ったり、両側面側の空間を使用して配線処理を行ったりすることができる。
【００３６】
以下に本発明の一実施の形態について説明する。
【００３７】
（実施の形態１）
図１は本発明の実施の形態１における構内交換機の要部斜視図である。
【００３８】
図１において、１は本実施の形態１における構内交換機、２は構内交換機１のケーシングの上面を構成するトップカバー、３は構内交換機１のケーシングの前面を構成するフロントカバー、４は構内交換機１のケーシングの側面を構成するサイドカバー、５は構内交換機１のケーシングの底面を構成する板状の台座、６はサイドカバー４の下方に形成され、台座５の両側端部に台座５に対して略垂直に一体的に配設された台座側面部、７は台座５の、構内交換機１の背面側の端部であり、構内交換機１のケーシングの背面より後方へ突出して形成された突出部、８はサイドカバー４の下端部を凹状に切り欠いて形成された把持部、９はサイドカバー４と台座側面部６との間に形成された間隙である。
【００３９】
ここで、フロントカバー３は構内交換機１に対して、螺子やビス等により取り外し可能であるように配設されるか、又は、開閉自在な扉に形成される。
【００４０】
突出部７は、台座５の背面側端部が構内交換機１のケーシングの背面より後方へ突出するように、台座５に一体的に形成される。これにより、構内交換機１を壁面等に壁際に設置する場合、構内交換機１のケーシングの背面と壁面とが突出部７の突出長さだけ間隔を空けて設置されるので、構内交換機１のケーシングの背面が壁面等に接触することを防ぐことができる。なお、突出部７は台座５の背面側端部の一部、例えば中央部近傍や両端部等を後方へ突出させて形成してもよい。
【００４１】
また、台座５はトップカバー２と略同形状に形成されることが好ましい。こいれにより、複数台の構内交換機１を垂直方向に積み重ねて設置することができ、構内交換機１を設置する場所の省スペース性を向上させることができる。
【００４２】
また、台座側面部６とサイドカバー４との間の間隙９は、後述のケーブルが容易に通過する程度の幅を有するが、外観を損なうことがないように、必要以上に広くする必要はない。
【００４３】
把持部８は、サイドカバー４の下端部を凹形状に切り欠いて形成される。また、把持部８の切り欠いて形成された部分は、構内交換機１を持ち運ぶ際に手等が接触するため、把持しやすいように滑らかに形成されることが好ましい。
【００４４】
図２は本発明の実施の形態１における構内交換機のフロントカバーを取り外した状態を示す構内交換機の要部正面図である。
【００４５】
図２において、１は構内交換機、２はトップカバー、４はサイドカバー、５は台座、６は台座側面部、９は間隙であり、これらは図１において説明したものと同様であるので同一の符号を付けて説明を省略する。１１はケーシングの内部に少なくとも構内交換機１のケーシングの前面側に開口した複数の棚を設けて形成された棚部、１２は台座５の上面側の略中央部に一体的に配設され、構内交換機１を支持するための柱状の支持柱部、１３はそれぞれの棚部１１に挿設される端末カード、１４は端末カード１３の前面側に配設された接続用コネクタ、１５はケーシングの内部に設けられた構内交換機１の電源ユニットである。
【００４６】
ここで、支持柱部１２は台座５の略中央部に一体的に立設される。台座５と支持柱部１２の材質としては、金属、合成樹脂等が用いられる。また、トップカバー２、フロントカバー３、サイドカバー４等の構内交換機１のケーシングも台座５及び支持柱部１２と同一の材質により形成されることが好ましい。これにより、外観を向上させることができる。
【００４７】
また、端末カード１３としては、構内交換機１のケーシングの前面側に接続用コネクタが配設され、棚部１１に着脱自在に挿設される電話交換等の機能を備えた内線ユニットカードや外線ユニットカード等が用いられる。
【００４８】
図３は図２のＡ−Ａ線における矢視断面図である。
【００４９】
図３において、５は台座、６は台座側面部、７は突出部、１２は支持柱部であり、これらは図１又は２において説明したものと同様であるので同一の符号を付けて説明を省略する。
【００５０】
ここで、支持柱部１２はその両側面又は前面側に角がない略円柱状又は略楕円柱状に形成することが好ましい。これは、後述のケーブルを配線する際等に、ケーブルが支持柱部１２の側面に接触し、傷ついたり破損したりすることを防ぐためである。なお、本実施の形態１においては、支持柱部１２は前面側のみ略楕円状に形成される。
【００５１】
なお、図１、図２、及び図３においては、接続用コネクタ１４に接続される電話機等の端末装置のケーブルは図示していない。
【００５２】
以上のように構成された本発明の実施の形態１における構内交換機について、ケーブルの配線方法を図を用いて説明する。
【００５３】
図４は本発明の実施の形態１における構内交換機の拡大要部斜視図である。なお、図４に示す構内交換機はフロントカバーを取り外しており、フロントカバーは図示していない。
【００５４】
図４において、４はサイドカバー、５は台座、６は台座側面部、７は突出部、８は把持部、９は間隙、１１は棚部、１２は支持柱部、１３は端末カード、１４は接続用コネクタであり、これらは図１又は２において説明したものと同様であるので同一の符号を付けて説明を省略する。
【００５５】
１６は接続用コネクタ１４に接続されたケーブルである。
【００５６】
ケーブル１６としては、電話機等の端末装置に接続される導線を複数本の束にしたものや、複数の端末装置に接続された光ファイバー等が用いられる。
【００５７】
端末カード１３の増設を行う等の際には、まず、フロントカバー３を構内交換機１から取り外す。次に、端末カード１３を構内交換機１の空いている棚部１１に挿設し、一端が電話機等の端末装置（図示せず）に接続された又はこれから接続されるケーブル１６の他端を端末カード１３の接続用コネクタ１４に接続する。図４においては、端末カード１３が、構内交換機１の前面側から見て一番右端の棚部１１に挿設される。このとき、ケーブル１６は構内交換機１の前面側に垂れ下がった状態である。そして、ケーブル１６の一部をサイドカバー４の外側から内側へ、即ちＢの方向へ移動させ、間隙９を通過させることにより、図４に示すように構内交換機１の前面側から側面側又は背面側へケーブル１６を通過させる。そして、フロントカバー３を構内交換機１に取り付ける。以上のようにしてケーブル１６を構内交換機１の前面側から側面側又は背面側へ通過させることができる。
【００５８】
このとき、台座側面部６により、構内交換機１の前面側から側面側又は背面側へ通過させて配線したケーブル１６が、ケーシングの外側へ移動することを防ぐことができるので、ケーブル１６の配線を確実に行うことができる。
【００５９】
なお、図４においてはケーブル１６は１本のみ図示しているが、実際には棚部１１に挿設される端末カード１３と同数の複数のケーブル１６を同様にして構内交換機１の前面側から側面側又は背面側へ通過させることができる。
【００６０】
以上のように本発明の実施の形態１における構内交換機は構成されているので、以下のような作用を有する。
【００６１】
（１）支持柱部１２を備えているため、支持柱部１２の側部に形成される空間に構内交換機１の前面側から背面側又は側面側にケーブル１６を通過させて配線を行うことができ、また、ケーブル１６の配線を行う場合、構内交換機１の側面側に配設されたサイドカバー４を取り外す必要がなく、容易に配線することができる。
【００６２】
（２）突出部７が形成されていることにより、構内交換機１を壁際に設置する際に構内交換機１のケーシングの背面と壁面との間に所定の距離を設けて設置することができるので、ケーブル１６を構内交換機１の前面側から側面側へ通して配線する際に、側面側にケーブル１６を通過させるための隙間を十分にとることができ、複数のケーブル１６を配線する場合であっても容易に配線することができる。
【００６３】
（３）台座側面部６により、支持柱部１２の側部に形成される空間に配線されたケーブル１６が外側へ移動することを防ぐことができ、又、間隙９の幅がケーブル１６を通過できる程度の幅とすることでケーブル１６が外部から見えなくなり、外観を向上させることができる。
【００６４】
（４）把持部８を備えることにより、構内交換機を設置する際はもちろん増設する場合やメンテナンスの際に把持部８を把持して持ち運び等を容易に行うことができる。
【００６５】
（５）配線処理に使用する空間を両側面側に設けているので、設置環境に応じて一側面側の空間のみを使用して配線処理を行ったり、両側面側の空間を使用して配線処理を行ったりすることができる。
【００６６】
なお、本実施の形態１においては一例としてフリースロット方式の構内交換機について説明しているが、本発明はこれに限られるものではなく、前面側に複数のケーブルを接続する構内交換機であっても同様の作用が得られる。
【００６７】
【発明の効果】
以上のように、本発明の構内交換機によれば、以下のような有利な効果が得られる。
【００６８】
本発明の請求項１に記載の発明によれば、以下のような効果を有する。
【００６９】
（１）構内交換機の前面側から背面側へ構内交換機の内部を貫通し、且つ、構内交換機の前面側から背面側に連通して側面部と接面する空間と、空間と接面する側面部において前面側と背面側を連通する間隙を備えているため、ケーブルの配線を行う際やメンテナンスを行う際に、構内交換機の側面側のサイドカバーや構内交換機の背面側のバックカバー等を取り外す必要がなく、容易にケーブルを配線することができ、配線時の作業性やメンテナンス性に優れた構内交換機を提供することができる。
（２）構内交換機の側面からみたケーブル配線の様は、側面部の底辺より上方に設けた狭い間隙を通してのみしか見えないので、ケーブルが外側から見えないようにでき、外観を向上させることができる。
【００７０】
本発明の請求項２、３に記載の発明によれば、請求項１の効果に加え、
（１）ケーシングを支持柱部で支持し、ケーシングの底面と台座の上面と台座側面部によって囲まれた空間を形成し、台座側面部の上辺はケーシング側面の下辺と接することなくケーブルが通過できる間隙を形成しているため、ケーブルの配線を行う際に、ケーシングの側面側のサイドカバーやケーシングの背面側のバックカバー等を取り外す必要がなく、容易にケーブルの配線をすることができる。
（２）台座の側面に立設した板状の台座側面部により、支持柱部の側方に形成された空間に配線されたケーブルが外側へはみ出すことを防ぐことができ、また、多数のケーブルを配線した場合であっても、ケーブルが外側へはみ出すことを防ぐことができる。
（３）台座側面部が、配線されたケーブルを覆うように配設されるため、ケーブルが外側から見えないようにでき、外観を向上させることができる。
【００７１】
本発明の請求項４に記載の発明によれば、請求項２又は３の効果に加え、ケーブルが当接する支持柱部の側面の前面側部側が曲面状に形成されているので、配線されるケーブルが配線時に支持柱部に接触した場合であっても、ケーブルが傷ついたり断線したり破損したりすることを防ぐことができ、配線作業時の安全性やケーブルの耐久性に優れた構内交換機を提供することができる。
【００７３】
本発明の請求項５に記載の発明によれば、請求項１乃至４の内いずれか１項の効果に加え、フロントカバーが、ケーシングの前面を覆うため、ケーブルが正面から見えないようにでき、外観を向上させることができる構内交換機を提供することができる。
【００７４】
本発明の請求項６に記載の発明によれば、請求項２乃至５の内いずれか１項の効果に加え、別途把持する部分を形成しなくてもよいため、外観を損なうことなく、把持部を備えることにより新たに構内交換機を設置する際や増設する際やメンテナンスの際に把持部を把持して持ち運び等を容易に行うことができる搬送性に優れた構内交換機を提供することができる。
【００７５】
本発明の請求項７に記載の発明によれば、請求項２乃至４の内いずれか１項の効果に加え、（１）構内交換機の側面後方にケーブルを外部に取り出し配線処理する空間を有しているため、設置環境に応じて一側面側の空間のみを使用して配線処理を行ったり、両側面側の空間を使用して配線処理を行なったりすることができる。
【図面の簡単な説明】
【図１】本発明の実施の形態１における構内交換機の要部斜視図
【図２】本発明の実施の形態１における構内交換機のフロントカバーを取り外した状態を示す構内交換機の要部正面図
【図３】図２のＡ−Ａ線における矢視断面図
【図４】本発明の実施の形態１における構内交換機の拡大要部斜視図
【図５】従来の構内交換機の要部斜視図
【図６】従来の構内交換機のフロントカバーを取り外した状態を示す構内交換機の要部正面図
【符号の説明】
１  構内交換機
２  トップカバー（ケーシング）
３  フロントカバー（ケーシング）
４  サイドカバー（ケーシング）
５  台座
６  台座側面部
７  突出部
８  把持部
９  間隙
１１  棚部
１２  支持柱部
１３  端末カード
１４  接続用コネクタ
１５  電源ユニット
１６  ケーブル
２１  構内交換機
２２  トップカバー
２３  フロントカバー
２４  サイドカバー
２６  棚部
２７  端末カード
２８  接続用コネクタ
２９  ケーブル
３０  ケーブル挿通部
【図１】
0004894087.tif 000002
【図２】
0004894087.tif 000003
【図３】
0004894087.tif 000004
【図４】
0004894087.tif 000005
【図５】
0004894087.tif 000006
【図６】
0004894087.tif 000007